(57)【要約】【課題】ネットワークの常時接続の必要のない効率の良いデータ収集を行うことができ、内部メモリを有効に使用することによりネットワークの常時接続の必要がなく、さらに必要なデータのみ内部メモリに蓄積することでメモリのリソースに無駄を無くすことができる。【解決手段】この発明の実施例１では収集するデータ量が内部メモリ１３ｂの容量より少ないとき、実施例１のメモリのリソースの無駄をなくすことで、外部転送の必要をなくす方法を示す。  さらにこの発明の実施例２では収集するデータ量が内部メモリ１３ｂの容量より多くなるとき、排除の要因に優先順位をつけて、優先順位の高いもののみを残す方法を示すものである。【選択図】      図１
2008217601.tif 000002
【特許請求の範囲】
【請求項１】
搬送路上を搬送され、主走査方向に沿って走査される検知対象物から得られる種々の物理特性情報を得る複数の取得手段と、
これらの取得手段により検知対象物ごとに得られる所定の走査ラインにおける物理特性情報を記憶する記憶手段と、
上記取得手段により検知対象物ごとに得られる所定の走査ラインにおける物理特性情報により検知対象物の状態を判定した第１の判定結果を出力する複数の第１の判定手段と、
これらの第１の判定手段により得られた検知対象物ごとの複数の第１の判定結果の状態により対応する検知対象物を総合判定した第２の判定結果として複数種類の排除要因を出力する第２の判定手段と、
を具備したことを特徴とする検知装置。
【請求項２】
搬送路上を搬送され、主走査方向に沿って走査される検知対象物から得られる種々の物理特性情報を得る複数の取得手段と、
これらの取得手段により検知対象物ごとに得られる所定の走査ラインにおける物理特性情報により検知対象物の状態を判定した第１の判定結果として種々の優先順位の排除要因を出力する複数の第１の判定手段と、
これらの第１の判定手段により得られた検知対象物ごとの排除要因と、上記取得手段により検知対象物ごとに得られる所定の走査ラインにおける物理特性情報を記憶する記憶手段と、
この記憶手段の満杯時、上記第１の判定手段により第1の判定結果として、高い優先順位の排除要因のデータが供給された際に、上記記憶手段に記憶されている低い優先順位の排除要因のデータを更新記憶する更新手段と、
これらの第１の判定手段により得られた検知対象物ごとの複数の第１の判定結果の状態により対応する検知対象物を総合判定した第２の判定結果を出力する第２の判定手段と、
を具備したことを特徴とする検知装置。
【請求項３】
搬送路上を搬送され、主走査方向に沿って走査される検知対象物から得られる種々の物理特性情報を得る複数の取得手段と、
これらの取得手段により検知対象物ごとに得られる所定の走査ラインにおける物理特性情報により検知対象物の状態を判定した第１の判定結果を出力する複数の第１の判定手段と、
これらの第１の判定手段により得られた検知対象物ごとの複数の第１の判定結果の状態により対応する検知対象物を総合判定した第２の判定結果を出力する第２の判定手段と、
この第２の判定手段による第２の判定結果に基づいて、上記搬送路によって搬送される検知対象物を区分する区分手段と、
上記第１の判定手段により判定に用いられた所定の走査ラインにおける検知対象物の物理特性情報をその排除要因を付与して記憶媒体に記憶する記憶手段と、
この記憶媒体に記憶される検知対象物の物理特性情報における排除要因の優先順位にもとづいて、優先順位の低い排除要因に対する検知対象物の物理特性情報を優先順位の高い排除要因に対する検知対象物の物理特性情報で書き換える書換え手段と、
を具備したことを特徴とする検知対象物の処理装置。
【発明の詳細な説明】
【技術分野】
【０００１】
本発明は、搬送路上を搬送する検知対象物の物理特性から対応する検知対象物が特定の対象物であることを検知する検知装置と検知対象物の処理装置に関する。
【背景技術】
【０００２】
従来、搬送路上を搬送する検知対象物の種々の物理特性を検知する検知装置には、検知対象物に対して複数の物理特性を検知するため、複数のセンサ部が搬送上に設置されている。（引用文献１）
このような検知装置内で検知対象物は搬送路上を個別に搬送される。この搬送路上に設置されるセンサ部は、検知対象物の検知したい物理特性を感知できるものを選択する。通常の場合、検知対象物の検知したい物理特性は複数あるので、種々の物理特性を感知する種々のセンサ部が搬送路上に点在することになる。
【０００３】
これらのセンサ部により感知された検知対象の物理特性は、電気信号として伝送路を介して検知処理部に送られる。検知処理部では、センサ部から送られた電気信号に対して、検知対象物の当該物理特性の検知処理を行う。また、全ての物理特性の検知処理が終了すると、検知結果を総合的に，判断して統括部に所定の出力を行う。
【０００４】
統括部では検知対象を検知処理部からの検知結果に応じた指示を対象物振り分け器に出し、対象物振り分け器によって対象物を処理結果に対応した別々の保管庫へと保管される。
【０００５】
この検知装置では、システムの正当性の証明並びに改良のために、処理結果を検証するためのセンサデータが必要となる。
【０００６】
この検証に必要となるデータはほとんどの場合、偽者と判断され排除された紙幣のデータである。通常、排除される紙幣は全体からみると数％もない。また排除の要因は様々であり、あるセンサの排除データが欲しい場合、または、あるセンサの排除データの中でもある要因で排除したデータが欲しい場合など、データ収集時に収集したいデータは様々である。そのため、単純にすべてのデータを保存していては非常に効率が悪い上に、データを確認する時に必要なデータを探すのに手間がかかってしまう。そこで、必要なデータを効率良く収集する方法として条件付データ収集がある。
【０００７】
この例では、データを蓄積する際に収集したいデータにフラグを立てており、データを外部に転送する際にフラグの立っているデータを収集することで、必要なデータのみを収集して、データ確認時の効率を上げている。また、外部への転送をリアルタイムに行うことで、継続的なデータ収集を行い、メモリの容量に縛られない十分な数のデータを収集することを可能としている。
【０００８】
上記従来例の方法は、無条件に全てのデータを内部メモリに蓄積しており、メモリのリソースの無駄が多い。そのため、リアルタイムなデータ転送が必要となり、検知装置と外部データ格納器との間が常にネットワーク接続している必要がある。
【特許文献１】特開２００６−２１６５５１号公報
【発明の開示】
【発明が解決しようとする課題】
【０００９】
この発明は、ネットワークの常時接続の必要のない効率の良いデータ収集を行うことができ、内部メモリを有効に使用することによりネットワークの常時接続の必要がなく、さらに必要なデータのみ内部メモリに蓄積することでメモリのリソースに無駄を無くすことができ、結果として、ネットワークの常時接続を行わなくても必要なデータの収集を行うことができる検知装置と検知対象物の処理装置を提供することにある。
【課題を解決するための手段】
【００１０】
この発明の検知装置は、搬送路上を搬送され、主走査方向に沿って走査される検知対象物から得られる種々の物理特性情報を得る複数の取得手段と、これらの取得手段により検知対象物ごとに得られる所定の走査ラインにおける物理特性情報を記憶する記憶手段と、上記取得手段により検知対象物ごとに得られる所定の走査ラインにおける物理特性情報により検知対象物の状態を判定した第１の判定結果を出力する複数の第１の判定手段と、これらの第１の判定手段により得られた検知対象物ごとの複数の第１の判定結果の状態により対応する検知対象物を総合判定した第２の判定結果出力する第２の判定手段とを有する。
【発明を実施するための最良の形態】
【００１１】
以下、この発明の一実施形態について図面を参照して説明する。
【００１２】
図１は、検知対象物（紙幣等の紙葉類）Ｓを処理する検知対象物の処理装置（検知システム）の概略構成を示す図である。
【００１３】
上記検知対象物の処理装置は、図示しない供給部から供給される種々の物理特性（物理特性情報）を有する検知対象物Ｓを個別に搬送する搬送路（搬送系）１と、この搬送路１によって搬送される検知対象物Ｓの種々の物理特性を検知する検知装置２と、この検知装置２の検知結果に基づいて上記搬送路１により搬送された検知対象物Ｓを振分ける対象物振り分け器３と、この対象物振り分け器３によって振分けられた検知対象物Ｓを保管する複数の保管庫４ａ、…と、上記検知装置２の各検知対象物Ｓごとの総合判別結果つまり検知結果として本物なのか偽者なのかを出力する統括部１５とから構成されている。検知装置２は、それぞれ搬送路１によって搬送される検知対象物ごとに得られる主走査方向の所定の走査ラインにおける物理特性情報により検知対象物の種々の状態を判定するようになっている。
上記統括部１５は、上記検知装置２の各検知対象物Ｓごとの総合判別結果としての検知結果に応じた指示を対象物振り分け器３に出力するものである。
【００１４】
上記対象物振り分け器３が、統括部１５からの検知結果に応じた指示に基づいて上記搬送路１により搬送された検知対象物Ｓを振分けることにより、検知対象物Ｓが検知結果に対応した保管庫４ａ、…に保管される。
【００１５】
上記検知対象物Ｓの搬送状態としては、たとえば、スキュー、ショートピッチ、スライド等が判定され、検知対象物Ｓの種類（券種）、統括部１５による検査結果（正券、損券、リジェクト券）による収集が設定されるようになっている。
【００１６】
図１、図２に示すように、この検知装置２は、複数のセンサ部（取得手段、光学系）１１、…、検知処理部（第１の判定手段）１３、…、統括部（第２の判定手段）１５により構成されている。検知処理部１３、…と統括部１５とは、データバス１４により接続されている。
【００１７】
センサ部１１、…は、搬送路１上を搬送される検知対象物Ｓの種々の物理特性を検知（感知）するものである。検知対象物Ｓに対して感知すべき物理特性が複数あるため、それらの感知すべきそれぞれの物理特性に対応する複数種類のセンサ部１１、…が搬送路１に点在している。上記センサ部１１、…の検知出力は、それぞれ統括部１５に供給される。
【００１８】
上記センサ部１１、…の検知される検知対象物Ｓの物理特性は、磁性検知、券種検知、形状検知（長さ、幅、搬送状態チェック）などの排除要因に対応している。
【００１９】
センサ部１１、…は、それぞれセンサ１１ａ、アンプ１１ｂ、Ａ／Ｄ変換器１１ｃにより構成されている。
【００２０】
センサ１１ａは、搬送路１上を搬送されている検知対象物Ｓの物理特性をアナログの電気信号に変換するものである。アンプ１１ｂは、センサ１１ａからのアナログの電気信号を増幅するものである。Ａ／Ｄ変換器１１ｃは、アンプ１１ｂからの増幅されたアナログの電気信号をディジタル信号に変換しクロック信号とともに検知処理部１３に出力するものである。
【００２１】
検知処理部１３、…は、それぞれ検知処理器１３ａと内部メモリ１３ｂ、…により構成され、各センサ部１１、…からの１つの検知対象物Ｓごとの種々の物理特性に基づく検知処理を行うものである。
【００２２】
次に、上記のような構成において、図２を参照しつつ、動作を説明する。
【００２３】
すなわち、検知対象物Ｓが図示しない供給部から順次取出されて搬送路１上を搬送されることにより、センサ部１１、…により検知対象物Ｓの物理特性が検知され、この検知出力が検知処理部１３、…に供給される（ＳＴ１）。
【００２４】
上記検知処理部１３、…は、各センサ部１１、…からの１つの検知対象物Ｓごとの種々の物理特性を内部メモリ１３ｂに格納する（ＳＴ２）。
【００２５】
この際、統括部１５は供給部から順次取出される検知対象物Ｓに対する識別情報を生成し、搬送制御に伴って管理する。
【００２６】
上記検知処理部１３、…は、各センサ部１１、…からの１つの検知対象物Ｓごとの種々の物理特性に基づく検知処理を行う。
【００２７】
これにより、統括部１５は、検知処理部１３、…から読出した検知対象物Ｓごとの種々の物理特性に基づく検知処理の結果を受けて、これらの検知処理の結果に基づいて検知結果を総合的に判断し、この検知結果に応じた指示を対象物振り分け器３と検知処理部１３、…に出力する（ＳＴ３、４）。
【００２８】
これにより、対象物振り分け器３は統括部１５からの検知結果（磁性検知、券種検知、形状検知，等の排除の要因により紙幣が本物と判定）に応じた指示に基づいて対象となる検知対象物Ｓを振分けて保管庫４ａ、４ｂに集積し、統括部１５からの検知結果（磁性検知、券種検知、形状検知により紙幣が偽物と判定）に応じた指示に基づいて対象となる検知対象物Ｓを保管庫４ｃに集積する。
【００２９】
また、統括部１５は、総合判定結果としての検知結果（紙幣が偽物）を検知処理部１３により出力する。
【００３０】
この実施形態では、２つの実施例について説明する。実施例１では収集するデータ量が内部メモリ１３ｂより少ないとき、実施例１のメモリのリソースの無駄をなくすことで、外部転送の必要をなくす方法を示す。実施例２では収集するデータ量が内部メモリ１３ｂより大きくなるとき、排除の要因に優先順位をつけて、優先順位の高いもののみを残す方法を示す。
【００３１】
（実施例１）
この際、収集するデータ量が内部メモリ１３ｂより少ないとき、メモリのリソースの無駄を無くすことで内部メモリ１３ｂ内に全ての必要なデータを収集することが出来、ネットワークの常時接続の必要が無くなる。そのために、内部メモリ１３ｂにデータを格納する段階で必要なデータの取捨選択を行う。
【００３２】
このように、必要なデータ(あらかじめ設定した排除要因を満足したデータであり、例えばセンサ部１１での判定処理に用いられる所定の走査ラインのデータ)が入ってくるまでは、同じアドレスに上書きしつづけ、必要なデータが取得されたときのみアドレスを変更する。これにより、内部メモリ１３ｂの中には常に必要なデータしか存在しなくなる。
【００３３】
この実施方法について、図３、図４を用いて説明する。
【００３４】
１．まず、データを指定されているアドレスに保存する。
【００３５】
（図３により指定されているアドレス０番地にデータを上書きする）
２．検知処理器１３ａで、収集したいデータ（排除と判定されたデータ）と判断した場合、次に指定するアドレスを一つインクリメントする。
【００３６】
（図４により指定されているアドレスを一つインクリメントし１番地とする）
３．（１）に戻る。
【００３７】
（図４により指定されているアドレス１番地にデータを上書きする）
なお、上記例ではデータが１アドレス単位であったが、検知対象物（紙幣）の１ページ分のデータであっても良い。
【００３８】
（実施例２）
すなわち、収集するデータ量が内部メモリ１３ｂより大きくなる場合、必要なデータの中でも特に必要なデータのみを収集する。従来のネットワークの常時接続を利用した方法では、内部メモリ１３ｂの容量に関係なくデータを収集することが出来る。実施例２で提案する方法では内部メモリ１３ｂの容量分までしかデータを収集することが出来ないものの、ユーザーが重要だと思う排除要因のデータを中心に保存することが出来る。これにより、データ収集量では劣るものの、その分密度の濃いデータ収集となり、その後のデータ確認の際には必要なデータをより少ない手間で探し出すことが出来る。
【００３９】
この場合、格納したデータのアドレスをユーザーが任意に指定した優先順位に応じて格納しておく。内部メモリ１３ｂがいっぱいになるまでは実施例１を行い、内部メモリ１３ｂがいっぱいになった場合、優先順位の低い領域に格納されているアドレスから順に、より優先順位の高いデータで上書きを行うことにより、優先順位の高いデータのみ収集することができる。
【００４０】
この実施方法について、図５、図６を用いて説明する。
【００４１】
１．  検知処理器１３ａに内部メモリ１３ｂのアドレスを格納する領域をいくつか用意する。（図５点線部参照）
２．  その領域は排除要因により、優先順位をあらかじめ決めておく。
【００４２】
３．  まず、データを指定されているアドレスに保存する。
【００４３】
（図３により指定されているアドレス０番地にデータを上書きする）(実施例１の（１）を行う)。
【００４４】
４．  実施例１の（２）を行う際、インクリメントする前のアドレスを排除要因ごとに実施例２（１）で用意した領域に格納する。
【００４５】
（図６  番地０の場合、排除要因がＢなので排除要因Ｂを番地０に格納する）
５．  実施例１の（３）を行い、内部メモリ１３ｂがいっぱいになるまで繰り返す。
【００４６】
６．  内部メモリ１３ｂがいっぱいになったら優先順位が一番低く設定されている領域に格納されているアドレスを指定する。
【００４７】
（図５、図６  優先順位の低い領域にあるアドレス１番地を選択）
７．  実施例１の（１）を行う。
【００４８】
（図５、図６  指定されているアドレス１番地にデータを上書きする）
８．  処理部で、収集したいデータ（現在読み出している領域よりも優先順位の高い排除要因）と判断した場合、現在読み出している領域に格納されている次のアドレスを指定する。
【００４９】
（図５、図６  処理結果の排除要因がＡかＢのとき、アドレスをＣの中の領域にあるアドレス３番地に変更）
９．  実施例２（７）と実施例２（８）を繰り返す。読み出している領域にアドレスが無くなったら、次に優先順位の低い領域へと移り、実施例２（７）に戻る。
【００５０】
（図５、図６  排除要因Ｃの領域にあるアドレス１，３，５，６に上書きを行い終わったら、次に優先順位の低い排除要因Ｂに移り、排除要因Ｂ内に格納されているアドレス（０，２，７，（１），（３），（５），（６））を指定する（１，３，５，６は上書きした結果の要因しだいで含まれる）。
【００５１】
上記したように、必要なデータのみ蓄積する。また、必要の無いデータは上書きをする。アドレスを変更して必要なデータのみ残す。
【００５２】
また、必要なデータと判断された時のみ、アドレスをインクリメントすることで、必要の無いデータは上書きされ、必要なデータのみ蓄積される。
【００５３】
さらに、必要なデータと判断されたアドレスあるいは排除の要因別に優先順位を付け、優先順位別に格納し、蓄積データ量がメモリの容量を超えた時に、優先度の低い領域のアドレスからデータを優先度の高いデータで上書きしていく。
【００５４】
ネットワークの常時接続の必要のない効率の良いデータ収集を行うことができ、内部メモリを有効に使用することによりネットワークの常時接続の必要がなく、さらに必要なデータのみ内部メモリに蓄積することでメモリのリソースに無駄を無くすことができる。
【図面の簡単な説明】
【００５５】
【図１】この発明の一実施形態を説明する検知対象物の処理装置の概略構成を示すブロック図。
【図２】検知対象物の処理装置の要部の概略構成を示すブロック図。
【図３】実施例１における内部メモリの記憶例を示す図。
【図４】実施例１における内部メモリの記憶例を示す図。
【図５】実施例２における検知処理部での排除要因と優先順位を説明するための図。
【図６】実施例２における内部メモリの記憶例を示す図。
【符号の説明】
【００５６】
１１…センサ部、１３…検知処理部、１３ａ…検知処理器、１３ｂ…内部メモリ、１５…総括部。
【図１】
2008217601.tif 000003
【図２】
2008217601.tif 000004
【図３】
2008217601.tif 000005
【図４】
2008217601.tif 000006
【図５】
2008217601.tif 000007
【図６】
2008217601.tif 000008